(57)【要約】【課題】  本発明は、ヒンジ部が断面ほぼ円形部を有する柱体どうしの対向面に沿って回動する構造の戸に関するものである。【解決手段】  本発明の戸は、縦方向の対向面において、互いに対向しながら回動する一対の柱体と、前記一対の柱体を連結する連結部材と、前記柱体の間を塞ぐ遮蔽部材と、前記遮蔽部材に嵌合された遮蔽材とから少なくとも構成されている。前記一対の柱体は、断面がほぼ半円形の中空部からなり、互いに対向する前記ほぼ半円形の対向面を有し、中心軸を中心にして、前記連結部材により連結されているとともに、二つの中心軸部材の回動により、前記対向面に対向しながら回動する。前記柱体は、前記対向面の反対側に横框取付部が成形されている。前記横框取付部には、横框が取り付けられている。上下の横框には、縦框が取り付けられている。【選択図】    図１
2006328751.tif 000002
【特許請求の範囲】
【請求項１】
一方向に１８０度回動させることができるヒンジにより連結されている戸において、
断面ほぼ半円形で、互いに対向する対向面を有し、中心軸を中心にして、前記対向面に対向しながら回動するとともに、前記対向面の反対側に横框取付部が成形されている一対の柱体と、
前記横框取付部に取り付けられた横框と、
前記横框の前記柱体と反対側に取り付けられた縦框と、
前記一対の柱体の上下部において、二つの中心軸部材が回動自在に、前記一対の柱体を接続する連結部材と、
前記一対の柱体の少なくともいずれか一方に一体成形または別体として取り付けられているとともに、前記一対の柱体間を密封する長さ方向の遮蔽部材と、
から少なくとも構成され、
前記連結部材によって前記二つの柱体が回動自在に緊締されているとともに、開閉または折り畳みが自在にできることを特徴とする戸。
【請求項２】
一方向に１８０度回動させることができるヒンジにより連結されている戸において、
断面がほぼ１／４円形で、中心軸を中心にして、互いに対向して対向しながら回動する対向面と、前記円形部分に連設されている断面直角部と、前記円形部および断面直角部の反対側に横框取付部が成形されている一対の柱体と、
前記横框取付部に取り付けられた横框と、
前記横框の前記柱体と反対側に取り付けられた縦框と、
前記一対の柱体の上下部において、二つの中心軸部材が回動自在に、前記一対の柱体を接続する連結部材と、
から少なくとも構成され、
前記連結部材によって前記二つの柱体が回動自在に緊締されているとともに、開閉または折り畳みが自在にできることを特徴とする戸。
【請求項３】
一方向に１８０度回動させることができるヒンジにより連結されている戸において、
断面がほぼ１／４円形部と前記ほぼ１／４円形部に連設された切欠き部とから構成され、前記ほぼ１／４円形部が互いに対向する対向面となり、中心軸を中心にして、前記対向面に対向しながら回動するとともに、前記対向面および切欠き部の反対側に横框取付部が成形されている一対の柱体と、
前記横框取付部に取り付けられた横框と、
前記横框の前記柱体と反対側に取り付けられた縦框と、
前記一対の柱体の上下部において、二つの中心軸部材が回動自在に、前記一対の柱体を接続する連結部材と、
前記一対の柱体間を密封する、前記切欠き部に固定された遮蔽部材と、
から少なくとも構成され、
前記連結部材によって前記二つの柱体が回動自在に緊締されているとともに、開閉または折り畳みが自在にできることを特徴とする戸。
【請求項４】
両方向に３６０度回動させることができるヒンジにより連結されている戸において、
断面ほぼ半円形で、互いに対向する対向面を有し、中心軸を中心にして、前記対向面に対向しながら回動するとともに、前記対向面の反対側に横框取付部が成形された一対の柱体と、
前記横框取付部に取り付けられた横框と、
前記横框の前記柱体と反対側に取り付けられた縦框と、
前記一対の柱体の上下部において、二つの中心軸部材が回動自在に、前記一対の柱体を接続する連結部材と、
から少なくとも構成され、
前記連結部材によって前記二つの柱体が回動自在に緊締されているとともに、開閉または折り畳みが自在にできることを特徴とする戸。
【請求項５】
前記いずれか一方または両方の柱体における断面ほぼ半円形の凸部近傍には、長さ方向の遮蔽部材を固定する溝と、
前記溝に固定された遮蔽部材と、
を備えていることを特徴とする請求項４に記載された戸。
【請求項６】
前記一対の柱体の上部および下部において、横框を取り付けるためのＬ字状切欠き部と、前記切欠き部を覆うカバーを有することを特徴とする請求項１から請求項５のいずれか１項に記載された戸。
【請求項７】
前記一対の柱体における対向面と反対側の内部には、前記連結部材および／または前記横框を取り付けるためのＬ字状金具が取り付けられていることを特徴とする請求項１から請求項６のいずれか１項に記載された戸。
【請求項８】
両方向に３６０度回動させることができるヒンジにより連結されている戸において、
断面ほぼ半円形で、互いに対向する対向面を有し、一方または他方の中心軸を中心にして、前記対向面に対向しながら回動する一対の柱体と、
前記柱体を取り付ける柱体取付部および横框取付部が成形されている取付コーナーブロックと、
前記取付コーナーブロックに取り付けられた横框と、
前記横框の前記取付コーナーブロックと反対側に取り付けられた縦框と、
前記一対の取付コーナーブロックの上下部において、二つの中心軸部材が回動自在に、前記一対の柱体を接続する連結部材と、
から少なくとも構成され、
前記連結部材および取付コーナーブロックによって前記二つの柱体が回動自在に緊締されているとともに、開閉または折り畳みが自在にできることを特徴とする戸。
【請求項９】
前記二つの柱体または取付コーナーブロックに回動自在に取り付けられた前記連結部材が取り付けられており、前記上吊り戸車および／またはガイドが戸の一組置きに設けられていることを特徴とする請求項１から請求項８のいずれか１項に記載された戸。
【請求項１０】
前記二つの柱体または取付コーナーブロックに回動自在に取り付けられた前記連結部材における一方または両方の下部には、レール上を移動する戸車および／またはガイドが取り付けられており、前記戸車および／またはガイドが戸の一組置きに設けられていることを特徴とする請求項１から請求項９のいずれか１項に記載された戸。
【請求項１１】
前記柱体または取付コーナーブロックには、回動する際の対向面から上下部に形成される隙間を塞ぐ角部材がバネ部材の力によって出入り自在に設けられていることを特徴とする請求項１から請求項１０のいずれか１項に記載された戸。
【請求項１２】
前記角部材の一端に、回動軸が設けられ、前記バネ部材の一端が前記角部材の凹部に、前記バネ部材の他端が前記回動軸を介してバネ押えにより係合されていることを特徴とする請求項１から請求項１１のいずれか１項に記載された戸。
【発明の詳細な説明】
【技術分野】
【０００１】
本発明は、ヒンジ部が断面ほぼ円形部を有する柱体どうしの対向面に沿って周回する構造の戸に関するものである。特に、本発明は、従来の欠点を改良して、実用化を可能にした戸に関するものである。本発明の戸は、ビル、住宅、店舗、工場、ホテル、レストラン、ショールーム、ブティック等のさまざまな施設、あるいは建築物における戸、扉、折り畳み式の折戸、雨戸、網戸、間仕切り等に使用することで、快適な空間を創造することができる。
【０００２】
本発明における「戸」は、前記戸、扉、折り畳み式の折戸、雨戸、網戸、間仕切り、扉、門扉、箱の蓋等を含む広い意味に使用される場合がある。また、本発明における戸を構成する框は、縦框、横框、およびこれらによって囲まれるガラス、板、網等の障子を含む広い意味に使用される場合がある。
【背景技術】
【０００３】
従来のヒンジ構造は、ドアを開けた場合に、枠とドアとの間隔が大きく離れるため、扉を閉じる時、指や物を挟むという事故が起きている。前記事故の解決方法は、常に、枠とドア、ドアとドアの縦部材が接近あるいは接するようにすることである。しかし、挟む隙間のないドア構造は、従来のドアが有する多くの問題を解決しないと、実用化することができない。たとえば、幅８５０ｍｍのドアは、その吊り元で挟む圧力が約６００ｋｇになるといわれており、安全確保が求められている。
【０００４】
従来、開閉可能な戸は、ヒンジ金具が扉本体と別体で、一体に構成されておらず、前記扉と無関係にヒンジ金具自体が単独で、開閉している。たとえば、周囲の壁に取り付けられた立枠は、ヒンジ金具を介して扉の重量を支持する。扉が連続して取り付けられる戸は、立枠側に取り付けられたヒンジ金具を介して、戸にかかる互いの重量と回転を行うための支持が必要であった。したがって、戸は、その重量のため、ヒンジ金具だけで支持できない場合があるので、上枠より吊るか、下枠で支えるか、あるいは別途に支持専用の追加金物が必要であった。  
【０００５】
扉等は、全重量をヒンジ金具が全て剪断荷重として受ける。したがって、前記扉等は、小さいヒンジ金具が取り付けられると、大きな剪断強度を求められることになる。前記ヒンジ金具を取り付けた扉等は、開閉する際の回転中心がヒンジ金具どうしを連結する軸にあり、一般には、扉厚みの外にある。また、前記ヒンジ金具を取り付けた扉等は、扉の重量による曲げモーメントがかかり、開閉時に剪断負荷が前記ヒンジ金具に変則的にかかる。
【０００６】
前記扉等は、上下のヒンジ金具の軸が、取り付けの位置ずれや、扉のねじれ変形により通らない場合がある。前記扉の自重は、上下いずれか一方にかかり易いため、扉の開閉時に過剰な負荷がヒンジ金具にかかり易く、ガタツキやキシミ音を発生することがある。また、前記扉等は、取り付けられているヒンジの回転中心軸が扉厚みの外側にあり、その持ち出し分だけ、扉が大回りすることになる。前記扉の大回りは、スペース上余裕のない場合、施工が困難であったり、開閉に支障を来す場合がある。
【０００７】
図２２は従来のヒンジ金具を説明するための図である。ヒンジ金具２２１は、たとえば、扉取付部２２１１、２２１２と、前記扉取付部２２１１、２２１２に設けられた取付孔２２１３、２２１４と、回転軸２２１５と、前記回転軸２２１５を挿入して前記扉を回動自在にする軸挿入孔２２１６、２２１７とから構成されている。図示されていない扉は、前記ヒンジ金具２２１の取付孔２２１３、２２１４にネジによりそれぞれ取り付けられている。
【０００８】
前記扉取付部２２１１と２２１２には、回転軸２２１５を挿入する軸挿入孔２２１６および２２１７が互い違いになるように設けられている。回転軸２２１５は、上部から前記軸挿入孔２２１６、２２１７に挿入することにより、前記扉取付部２２１１、２２１２に取り付けられた扉が開閉できるようになっている。
【０００９】
実開昭５０−１４０８２２号公報における「めがね型のヒンジ部品」は、折り畳み式コンテナや貨物コンテナに向いたヒンジであり、フェンスや間仕切りの角度を自在にする連結部品である。
【００１０】
実開昭５６−１５５０７４号公報における帯ヒンジは、２枚の帯板を２本の立枠の部材にＳ字型に固定している。前記帯ヒンジは、９０度程度しか開閉できない。前記帯ヒンジは、前記帯の緊締が緩まないようにすることが困難であるだけでなく、扉の開閉を頻繁に行った場合、帯ヒンジの緩みの問題が解決されていない。
【００１１】
特開２００４−１０７９９６号公報に記載されている屈伸自在なパネル連携構造は、可撓性を有する帯板を上下互い違いとなるＳ字状に巻回するとともに、上下の帯板の端部を相互に連結して出来上がったヒンジから構成されている。
【特許文献１】実開昭５０−１４０８２２号公報
【特許文献２】実開昭５６−１５５０７４号公報
【特許文献３】特開２００４−１０７９９６号公報
【発明の開示】
【発明が解決しようとする課題】
【００１２】
従来のヒンジ金具によって連結された戸、たとえば、扉、戸、折り畳み式開閉雨戸、網戸（以下、単に戸と記載する）は、回転の中心がヒンジ金具２２１の回転軸２２１５部分にあり、構造や場所により１８０度回動できない場合があり、また、前記戸と戸との間に必ず隙間が生じるという欠点があった。前記特開２００４−１０７９９６号公報に記載された屈伸自在なパネルの連結構造は、二つの戸の間の隙間が帯板の厚さだけ生じる。
【００１３】
前記のような構造の戸は、風が通り抜けるだけでなく、一方から他方が見えてしまうという欠点があった。また、Ｓ字状帯部材を使用したヒンジは、隣接するドアの縦框を先に通さなくてはならないという制約や、ヒンジの修復作業が扉のパネル材を取り除いた後に行なわねばならないという欠点があった。
【００１４】
特に、近年、アルミニウム合金製のサッシが増加し、前記サッシと同じ材料による折戸、網戸、間仕切り等は、豪華さを謳うホテル、レストラン、ショールーム、ブティック等のさまざまな施設に用いられるようになって来た。しかし、前記戸と戸との間の隙間は、指が挟まるという、戸として決定的な欠点となっていた。また、前記公報に記載されている８字状帯部材を使用したものは、前記戸の間に生ずる隙間の問題、および横框の取り付け等の問題を解決していないため、折り畳み式戸として、実現されていない。
【００１５】
前記公報に記載されている８字状帯部材を使用したものは、アルミニウム合金製等の横框を取り付けることができない。また、前記公報に記載されている８字状帯部材を使用したものは、ドアの連結を工場で全て完成させる構造であるため、多くのドアが一体となり、重く、取り扱い難くなり、現地での組立および運搬等の問題を考慮して作製されたものではない。さらに、ヒンジの修復は、枠から連結ドア全体を外し、ドアの面材（パネル材）を取り外さなくては、行なえないという大がかりな作業になるという問題があった。また、前記特開２００４−１０７９９６号公報に記載された屈伸自在なパネルの連結構造は、可撓性有する帯板を上下互い違いとなるようにＳ字状に巻回するとともに、上下の帯板の端部を相互に連結して「８字型のヒンジ」を形成し、この「８字型」の２個の穴に、断面半円形状の２本のポールを挿入し、半円形状の反対側のパネル固定面側端面の凹部内に、端部を緊締する連結構造である。前記「８字型のヒンジ」の緊締性能を維持する再調整や修復は、ドライバー等工具の作業が、パネル類の面材に阻まれて行なえない。したがって、前記ポールとパネルは、分離するしかない。さらに、施工後の分解作業は、天井、床、壁に阻まれ、前記ポールが前記「８字型」から抜けない。前記ヒンジと不分離の一対のポールの連結構造は、容積や重量が大きい扉や連続折戸では、再調整や修復毎に、全パネルを使用中の建物から取り外すことになり、作業が困難であった。前記「８字型ヒンジ」によるポールは、パネルが軽量で、パネル端部のどこにでも、金物類がビスで固定可能な木製である場合に最適である。たとえば、前記発明のものは、木製や合板のクローゼットに適している。しかし、アルミニウム形材の框フレーム構造では、採用できない。また、前記発明のものは、アルミニウムサッシ用には、致命的な不備が多い。
【００１６】
以上のような課題を解決するために、本発明は、戸と戸の間の隙間を完全に無くすとともに、実際の生産および施工を考慮した戸を提供することを目的とする。また、本発明は、前記戸を複数個連結して折り畳める戸において、必ずしも３６０度回動する必要がないことが判ったため、これに伴う改良を計った戸を提供することを目的とする。本発明は、前記戸を連結するヒンジ金具の間に隙間ができないような構造として、指が挟まれても（挿まれても）、押し出されるため、怪我が防止できる戸を提供することを目的とする。本発明は、前記従来例における適用上の制約や難点を解決して、製造、輸送、搬入、施工、メンテナンスが容易な戸を提供することを目的とする。
【課題を解決するための手段】
【００１７】
（第１発明）
第１発明の戸は、一方向に１８０度回動させることができるヒンジにより連結されており、断面ほぼ半円形で、互いに対向する対向面を有し、中心軸を中心にして、前記対向面に対向しながら回動するとともに、前記対向面の反対側に横框取付部が成形されている一対の柱体と、前記横框取付部に取り付けられた横框と、前記横框の前記柱体と反対側に取り付けられた縦框と、前記一対の柱体の上下部において、二つの中心軸部材が回動自在に、前記一対の柱体を接続する連結部材と、前記一対の柱体の少なくともいずれか一方に一体成形または別体として取り付けられているとともに、前記一対の柱体間を密封する長さ方向の遮蔽部材とから少なくとも構成され、前記連結部材によって前記二つの柱体が回動自在に緊締されているとともに、開閉または折り畳みが自在にできることを特徴とする。      
【００１８】
（第２発明）
第２発明の戸は、一方向に１８０度回動させることができるヒンジにより連結されており、断面がほぼ１／４円形で、中心軸を中心にして、互いに対向して対向しながら回動する対向面と、前記円形部分に連設されている断面直角部と、前記円形部および断面直角部の反対側に横框取付部が成形されている一対の柱体と、前記横框取付部に取り付けられた横框と、前記横框の前記柱体と反対側に取り付けられた縦框と、前記一対の柱体の上下部において、二つの中心軸部材が回動自在に、前記一対の柱体を接続する連結部材とから少なくとも構成され、前記連結部材によって前記二つの柱体が回動自在に緊締されているとともに、開閉または折り畳みが自在にできることを特徴とする。
【００１９】
（第３発明）
第３発明の戸は、一方向に１８０度回動させることができるヒンジにより連結されており、断面がほぼ１／４円形部と前記ほぼ１／４円形部に連設された切欠き部とから構成され、前記ほぼ１／４円形部が互いに対向する対向面となり、中心軸を中心にして、前記対向面に対向しながら回動するとともに、前記対向面および切欠き部の反対側に横框取付部が成形されている一対の柱体と、前記横框取付部に取り付けられた横框と、前記横框の前記柱体と反対側に取り付けられた縦框と、前記一対の柱体の上下部において、二つの中心軸部材が回動自在に、前記一対の柱体を接続する連結部材と、前記一対の柱体間を密封する、前記切欠き部に固定された遮蔽部材とから少なくとも構成され、前記連結部材によって前記二つの柱体が回動自在に緊締されているとともに、開閉または折り畳みが自在にできることを特徴とする。
【００２０】
（第４発明）
第４発明の戸は、両方向に３６０度回動させることができるヒンジにより連結されており、断面ほぼ半円形で、互いに対向する対向面を有し、中心軸を中心にして、前記対向面に対向しながら回動するとともに、前記対向面の反対側に横框取付部が成形された一対の柱体と、前記横框取付部に取り付けられた横框と、前記横框の前記柱体と反対側に取り付けられた縦框と、前記一対の柱体の上下部において、二つの中心軸部材が回動自在に、前記一対の柱体を接続する連結部材とから少なくとも構成され、前記連結部材によって前記二つの柱体が回動自在に緊締されているとともに、開閉または折り畳みが自在にできることを特徴とする。
【００２１】
（第５発明）
第５発明の戸は、第４発明におけるいずれか一方または両方の柱体における断面ほぼ半円形の凸部近傍には、長さ方向の遮蔽部材を固定する溝と、前記溝に固定された遮蔽部材とを備えていることを特徴とする。
【００２２】
（第６発明）
第６発明の戸は、第１発明から第５発明における一対の柱体の上部および下部において、横框を取り付けるためのＬ字状切欠き部と、前記切欠き部を覆うカバーを有することを特徴とする。
【００２３】
（第７発明）
第７発明の戸は、第１発明から第６発明における一対の柱体の対向面と反対側の内部には、前記連結部材および／または前記横框を取り付けるためのＬ字状金具が取り付けられていることを特徴とする。
【００２４】
（第８発明）
第８発明の戸は、両方向に３６０度回動させることができるヒンジにより連結されており、断面ほぼ半円形で、互いに対向する対向面を有し、一方または他方の中心軸を中心にして、前記対向面に対向しながら回動する一対の柱体と、前記柱体を取り付ける柱体取付部および横框取付部が成形されている取付コーナーブロックと、前記取付コーナーブロックに取り付けられた横框と、前記横框の前記取付コーナーブロックと反対側に取り付けられた縦框と、前記一対の取付コーナーブロックの上下部において、二つの中心軸部材が回動自在に、前記一対の柱体を接続する連結部材とから少なくとも構成され、前記連結部材および取付コーナーブロックによって前記二つの柱体が回動自在に緊締されているとともに、開閉または折り畳みが自在にできることを特徴とする。
【００２５】
（第９発明）
第９発明の戸は、第１発明から第８発明の二つの柱体または取付コーナーブロックに回動自在に取り付けられた前記連結部材における一方または両方の上部には、上吊り戸車および／またはガイドが取り付けられており、前記上吊り戸車および／またはガイドが戸の一組置きに設けられていることを特徴とする。
【００２６】
（第１０発明）
第１０発明の戸は、第１発明から第９発明の二つの柱体または取付コーナーブロックに回動自在に取り付けられた前記連結部材における一方または両方の下部には、レール上を移動する戸車および／またはガイドが取り付けられており、前記戸車が戸の一組置きに設けられていることを特徴とする。
【００２７】
（第１１発明）
第１１発明の戸は、第１発明から第１１発明の柱体または取付コーナーブロックに、回動する際の対向面から上下部に形成される隙間を塞ぐ角部材がバネ部材の力によって出入り自在に設けられていることを特徴とする。
【００２８】
（第１２発明）
第１２発明の戸は、第１発明から第１１発明の角部材の一端に、回動軸が設けられ、前記バネ部材の一端が前記角部材の凹部に、前記バネ部材の他端が前記回動軸を介してバネ押えにより係合されていることを特徴とする。
【発明の効果】
【００２９】
本発明によれば、二つの柱体を連結する接続部材が、二つの中心軸部材によって回動自在であり、かつ、断面がほぼ半円形で、互いに対向する対向面を有し、前記対向面に対向しながら１８０度回動するため、戸の回動が非常にスムーズであるとともに、前記柱体と柱体との間に隙間がなく、指等を挟むという事故が発生しない。前記互いに対向して回転する対向面は、隙間がなく、対向した状態で回動するため、指等が入らずに押し出される。特に、前記柱体がアルミニウム系部材等の場合、指等を柱体の間に入れても、両者の回転により滑るように外部に押し出されるため、怪我をすることがない。
【００３０】
本発明によれば、成形品により構成された戸は、互いの柱体における断面ほぼ半円形の対向面に沿いながら回動するため、部材に対する負荷が一定で変化しないので、回動に無理がなく、非常に回動がスムーズになり、キシミ音等を発生することがないだけでなく、形状が美的外観も備えている。また、本発明の戸は、遮蔽部に固定された遮蔽部材等により、柱体の間が完全に密閉されるため、隙間風や光が入らず、または、隙間から他方が見えることがない。
【００３１】
本出願人は、柱体と柱体との対向面が対向しながら回転する部分を９０度とするだけで良いことが判った。本発明によれば、前記円柱は、前記ほぼ１／４円形断面と、前記ほぼ１／４円形断面に連設された断面直角部を有するため、戸を閉じた状態が安定し、直線状となり、隙間も無くなる。
【００３２】
本発明によれば、柱体のほぼ１／４円形断面と、前記断面に連設された切欠き部に遮蔽部材を入れたことにより、前記隙間を完全に無くすことができた。また、本発明の連結部材は、二つの柱体の上部および下部において、堅固でかつ回動自在に連結しているため、この部分が切断されることがないため、防犯上優れている。
【００３３】
本発明によれば、一対の柱体の少なくとも上部にＬ字状切欠き部、前記Ｌ字状切欠きカバー、あるいは逆Ｌ字状金具により、柱体、および縦框と横框が容易に取り付けられるだけでなく、組立施工等が迅速にでき、見た目の良いものができる。
【００３４】
本発明によれば、一対の柱体および横框を取り付ける取付コーナーブロックを用いるため、組立および戸の取り付けが容易になった。また、本発明の戸は、形状および構造がシンプルであるため、加工性、組立性、現場への搬入、施工性が良く、かつ、安価に製造できる。
【発明を実施するための最良の形態】
【００３５】
本発明は、成形品からなる二つの柱体のそれぞれに横框を、上下の横框に縦框を取り付けることにより戸を組み立てることができる。前記戸は、前記二つの柱体が連結部材と回動自在な二つの中心軸部材とを介して互いに連結されるとともに、１８０度、または３６０度回動させることができるものであり、従来の考えとは全く異なった構成である。
【００３６】
本発明の戸、雨戸、網戸、開閉扉等は、ホテル、レストラン、ショールーム、ブティック等のさまざまな施設において使用されるだけでなく、間仕切りやクローゼットの扉等に使用することで、快適な空間を創造するとともに、使用勝手および美観を良くすることができる。また、本発明は、一方の柱体が立枠で固定されており、他方の柱体が前記立枠に対して、１８０度、または３６０度回動する場合、および両方の柱体が自在に回動する１枚扉や両開扉としての出入口ドアに採用される場合も含む。
【００３７】
本発明の戸は、少なくとも一つであり、その数に制限がない。前記戸が一つの場合は、前記柱体の一方が壁面または固定柱に固定されている場合である。また、前記柱体は、アルミニウム合金からなる押し出し成形による中空体（サッシ）だけでなく、たとえば、合成樹脂部材、金属、または合金等からなる無垢の棒状体も含む。
【００３８】
（第１発明）
第１発明の戸は、縦方向の対向面において、互いに対向しながら回動する一対の柱体と、横框、縦框、前記一対の柱体を連結する連結部材と、前記柱体の間を塞ぐ遮蔽部材とから構成されている。前記一対の柱体は、たとえば、断面がほぼ半円形の中空部からなり、互いに対向する前記ほぼ半円形の対向面を有し、中心軸を中心にして、前記連結部材により連結されているとともに、二つの中心軸部材の回動により、前記縦方向の対向面に対向しながら回動する。本発明でいう「対向しながら回動する」は、前記のように多少の隙間がある場合と、ほぼ接触している場合とがある。
【００３９】
前記柱体は、前記対向面の反対側に横框取付部が成形されている。前記横框取付部には、横框が取り付けられている。上下の横框には、縦框が取り付けられている。前記横框および縦框と、前記柱体には、板、網、ガラス等が嵌められて、戸等が構成される。本発明でいう戸とは、折り畳みだけでなく、開閉するものや開扉も含み、また、障子の材質に関係なく、広い意味のもの言う。
【００４０】
前記連結部材は、一対の柱体の上下部において、二つの中心軸部材が前記柱体に対して固定され、前記一対の柱体を回動自在に接続している。前記一対の柱体の少なくともいずれか一方には、遮蔽部材が一体成形または別体に取り付けられている。前記遮蔽部は、少なくとも一方の柱体に長さ方向に遮蔽部材を固定する突起溝を連続的に備えている。
【００４１】
前記遮蔽部は、前記突起溝に嵌合することにより、前記一対の柱体間を光、雨水、または空気が入らないように密閉することができる。前記遮蔽部は、前記戸が網戸の場合不要である。前記遮蔽部材は、弾性体からなるパッキング材およびモヘアのような繊維状の部材、あるいはビート等も含む。前記連結部材は、金物、硬質合成樹脂等からなり、板状、または吊り車およびガイド車等が一体または別体に設けられている。
【００４２】
第１発明の戸は、戸や蓋等の部材を支持しながら１８０度回動させることができ、回動が非常にスムーズであるとともに、前記柱体の中心軸をほぼ中心にして、断面ほぼ半円形の面に沿いながら回動するため、前記柱体と柱体との間に隙間がなく、指等が挟まれることがない。第１発明の戸は、互いの柱体における断面ほぼ半円形の対向面に沿いながら回動するため、部材に対する負荷が一定で変化しないので、回動に無理がなく、非常に回動がスムーズになり、きしみ音等を発生することがない。前記第１発明の戸によって回動できるように作製された戸類（戸、雨戸等）は、遮蔽部に固定された遮蔽部材により、柱体の間が密閉されるため、隙間風、雨水、および光が入らない。
【００４３】
（第２発明）
第２発明の戸は、第１発明が少なくとも一対の断面半円形の柱体を連結部材で回動自在に緊締しているのに対して、一対の柱体の断面がほぼ１／４円形と、前記ほぼ１／４円形に連設する断面直角部とが互いに対向する対向面を有する。前記断面ほぼ１／４円形および断面直角部を有する柱体は、上下部で連結部材を介して、二つの中心軸部材が固定されている。
【００４４】
第２発明の戸は、一対の柱体が断面がほぼ１／４円形の回動を行なうための対向面と、前記対向面に連なる断面直角部とを備えており、前記対向面で１８０度の回動を行ない、断面直角部の前記対向面と反対側を水平面とすることで、見た目を良くすることができる。また、前記水平面には、必要に応じて、遮蔽部材を一体または別体として取り付けることができる。前記遮蔽部材の取り付けは、柱体が水平面であるため取り付け易い。
【００４５】
（第３発明）
第３発明の戸は、上下部において、小判型の連結部材により、柱体を回動自在に緊締している点で、第１発明および第２発明と同じである。第３発明における戸の柱体は、一対の断面がほぼ１／４円形からなる円形部と、前記円形部に連設されるように成形された切欠き部から構成されている。そして、前記切欠き部には、遮蔽部材が固定または嵌合されることにより、前記一対の柱体の間を密封することができる。なお、前記遮蔽部材は、前記戸が雨戸や網戸の場合、無くすことができる。
【００４６】
（第４発明）
第４発明の戸は、柱体の断面ほぼ半円形の対向面に沿いながら３６０度回動できるように取り付けられる。前記二つの柱体を連結する連結部材は、前記柱体の上部および下部において、第１発明から第３発明と同様に、前記柱体の中心軸に螺合された二つの中心軸部材により回動できるように取り付けられている。
【００４７】
（第５発明）
第５発明の戸は、第４発明における一対の柱体の一方または両方に、断面ほぼ半円形の対向面の先端部近傍に長さ方向の溝が設けられ、前記溝内に遮蔽部材が嵌合されている。前記遮蔽部材は、弾性があるため、前記連結部材の緊締とともに、前記柱体間の隙間を無くすことができる。前記遮蔽部材の前記溝から突出する厚さは、僅かであっても、戸を締めた際の隙間を無くすことができる。
【００４８】
（第６発明）
第６発明の戸は、第１発明から第５発明における一対の柱体の上部および下部において、横框を取り付けるためのＬ字状切欠き部と、前記切欠き部を覆うカバーを有する。前記Ｌ字状切欠き部は、前記横框、吊り車、下車、ガイド等を前記柱体に取り付ける際にドライバー等が入り易くするためのものである。また、前記Ｌ字状切欠き部は、前記横框を取り付けた後、前記カバーにより覆うことにより、外部から見た目を良くしている。さらに、前記カバーは、前記Ｌ字状切欠き部を単に覆うだけでなく、連結金物等を組み合わせて設けるておくこともできる。
【００４９】
（第７発明）
第７発明の戸は、第１発明から第６発明における一対の柱体における対向面と反対側の内部に横框および／または連結部材を取り付けるためのＬ字状金具が取り付けられている。すなわち、連結部材および／または上横框は、柱体に取り付けられた逆Ｌ字状金具上に取り付けられ、連結部材および／または下横框は、柱体に取り付けられたＬ字状金具の下に取り付けられる。
【００５０】
（第８発明）
第８発明の戸は、両方向に３６０度回動させることができるヒンジにより連結されている。第８発明の戸は、横框、縦框、および連結部材が第１発明から第４発明と同じである。第１発明から第４発明と異なるのは、第８発明における一対の柱体が横框を取り付ける部分において、取付コーナーブロックとなっている点である。
【００５１】
前記一対の取付コーナーブロックは、たとえば、横断面ほぼ半円形で、互いに対向する対向面を有し、一方および／または他方の中心軸を中心にして、前記対向面に対向しながら回動するとともに、柱体取付部および横框取付部が成形されている。また、前記取付コーナーブロックは、前記柱体取付部および横框取付部を介して、一対の柱体および横框と取り付けられる。前記連結部材は、上部および下部において、二つの中心軸部材が回動自在で、かつ、前記一対の取付コーナーブロックを連結している。
【００５２】
（第９発明）
第９発明の戸は、第１発明から第８発明における二つの柱体または少なくとも取付コーナーブロックに回動自在に取り付けられた前記連結部材における上部に上吊り戸車および／またはガイドが取り付けられている。前記上吊り戸車および／またはガイドは、戸を多数連結した場合であっても、動きを容易にしている。前記戸は、二枚を一組として、上吊り戸車および／またはガイドが一組置きに設けられている。前記上吊り戸車および／またはガイドのない一組の戸は、折り畳まれた場合に、レールから外れる方向に移動するものである。
【００５３】
（第１０発明）
第１０発明の戸は、第１発明から第９発明における二つの柱体または取付コーナーブロックのいずれか一方の下部にレール上または案内に沿って移動する戸車および／またはガイドが取り付けられている。前記戸車および／またはガイドは、第９発明と同様に、一組置きに設けられており、戸を多数連結した場合であっても、動きを容易にしている。前記戸は、前記上吊り戸車およびガイドの両方を取り付けることもできる。
【００５４】
前記戸の柱体、横框、縦框等には、網、ガラス、板等を取り付ける取り付け部が設けられている。また、前記網、ガラス、板は、前記柱体、横框、縦框等に取り付けられた後、パテあるいは遮蔽部材等によって固定される。
【００５５】
（第１１発明）
第１１発明の戸は、第１発明から第１０発明における柱体または取付コーナーブロックに、戸が回動する際の対向面から上下部に形成される隙間を塞ぐ角部材がバネ部材の力によって出入り自在に設けられている。前記角部材は、前記戸が閉じている場合、回動する対向面の隙間を塞ぎ、前記戸が折り曲げられる場合、バネ部材に抗して内部に挿入される。
【００５６】
（第１２発明）
第１２発明の戸は、第１発明から第１１発明における角部材の一端に回動軸が設けられている。前記バネ部材は、一端が前記角部材に成形されている凹部に、他端が前記回動軸を介してバネ押えにより係合されている。前記角部材は、前記バネの付勢により、戸の開閉により、柱体または取付コーナーブロックの内部に出入りできる。
【実施例１】
【００５７】
図１は本発明の第１実施例で、戸を連結するための連結構造を説明するための概略図である。図１において、戸は、断面ほぼ半円形部分を有する柱体１１と、前記柱体１１に対向し、前記ほぼ半円形の突出部分において、互いに対向しながら１８０度回動する柱体１２と、前記柱体１１、１２の隙間を防ぐ遮蔽アダプター１３と、前記柱体１１、１２の上部および下部の中心軸において、二つの中心軸部材１４２、１４２′が孔１４１、１４１′で回動可能にする前記柱体１１、１２を連結するための連結部材１４、１５（図示されていない）と、前記柱体１１、１２に取り付けられた横框１６、１７と、前記横框１６、１７に取り付けられる図示されていない縦框とから構成されている。
【００５８】
前記柱体１１、１２は、たとえば、アルミニウム合金等の金属からなり、押し出し成形により図１に示すような断面形状に成形される。前記柱体１１、１２は、断面ほぼ半円形の互いに対向する対向面１１１、１２１の反対側に、横框取付部１１２、１２２が一体成形されている。そして、前記横框１６、１７は、前記横框取付部１１２、１２２に取り付けられている。前記戸は、図１において、たとえば、下部横框、中框、および前記柱体１１、１２の反対側の縦框等が省略されている。前記遮蔽アダプター１３は、一方の柱体１１（１２）の側部１１４（１２４）、または横框１６（１７）に一体成形またはネジ止めされている。
【００５９】
前記柱体１１、１２は、内部の中心軸部分に、中心軸部材１４２を螺合する中心軸部材取付孔１１３、１２３が成形されている。また、連結部材１４、１５、は、前記柱体１１、１２の上部および下部において、前記中心軸部材１４２、１４２′が前記柱体１１、１２とともに、回動可能なように、中心軸部材取付孔１１３、１２３に取り付けられる。
【００６０】
連結部材１４は、前記中心軸部材１４２、１４２′が中心軸部材取付孔１４１、１４１′で螺合されているとともに、上部に上部レールに吊る少なくとも一つの吊り戸車１４６が設けられる。また、下部に設ける連結部材は、前記中心軸部材が中心軸部材取付孔で螺合されているとともに、下部に下部レールにより案内する図示されていないガイド車を設けることができる。
【００６１】
遮蔽アダプター１３は、前記柱体１１（１２）または横框１６（１７）にネジ等によって取り付けられるか、あるいは柱体１１（１２）と一体に成形される。前記遮蔽アダプター１３は、前記柱体１１、１２の長さ方向に沿って、遮蔽部材装着溝となる突起溝１３１が成形されている。前記突起溝１３１には、遮蔽部材１３２が嵌挿されている。
【００６２】
前記戸は、前記連結部材１４により連結され、前記柱体１１、１２の対向面に沿って回動するため、開閉がスムーズであるだけでなく、キシミ音もしない。前記柱体１１、１２は、アルミニウム系、またはその他の金属材料であるため、前記遮蔽アダプター１３の反対側に指を入れても、滑るように押し出され、指を痛めることがない。また、前記遮蔽アダプター１３は、戸の隙間から風や光が侵入することなく、見かけも豪華であるとともに戸として優れた効果を発揮する。
【実施例２】
【００６３】
図２（イ）および（ロ）は本発明の第２実施例で、戸を連結するための連結構造を説明するための概略図で、（ロ）は（イ）のロ−ロ断面図である。図２（イ）および（ロ）において、実施例１と異なるのは、柱体１１、１２にガラス４２等を挿入する挿入凹部４１が設けられている点にある。前記柱体１１、１２は、対向面１１１、１２１との反対面にガラスまたは戸板４２等が遮蔽部材４３を介して挿入される挿入凹部４１が成形されている。また、前記柱体１１、１２および横框１６、１７は、ネジ４７、４７′およびネジ孔４８、４８′によって固定される。
【実施例３】
【００６４】
図３は本発明の第３実施例で、戸を連結するための連結構造を説明するための概略図である。図３において、柱体１１、１２は、断面ほぼ１／４円形部３１、３２と、前記断面ほぼ１／４円形部３１、３２に連設された断面ほぼ１／４切欠き部（Ｌ字状切欠き部）３１２、３２２と、前記断面ほぼ１／４円形部３１、３２および切欠き部３１２、３２２の反対側に設けられている横框取付部１１２、１２２とが一体成形されている。前記横框取付部１１２、１２２には、横框３３、３４が取り付けられている。また、前記柱体１１、１２の内部には、図１の連結部材の中心軸部材が螺合できる中心軸部材取付孔３１３、３２３が設けられている。
【００６５】
前記断面ほぼ１／４切欠き部３１２、３２２には、遮蔽用の遮蔽部材３５、３５′が取り付けられている。前記横框３３、３４には、必要に応じて、取付フィンを設け、図示されていない戸板、ガラス、または網戸等が取り付けられている。図３に示された遮蔽部材３５、３５′は、その間に隙間が出ないような形状のものを使用する。
【実施例４】
【００６６】
図４（イ）は本発明の第４実施例で、戸を連結するための連結構造を説明するための概略図で、（ロ）は（イ）におけるロ−ロ断面図ある。図４（イ）および（ロ）において、第１実施例から第３実施例と異なる所は、断面ほぼ１／４円形部４１１、４２１に連設する部分が９０度の断面直角部４３１、４３２を備えている点、および横框４５、４６の中央部に取付部４７１、４７２が設けられている点である。図４に示された戸は、図の下部方向にのみ開閉ができる。また、前記横框４５、４６は、障子４７４（板、パネル、ガラス、網等）を取り付ける取付フィン４７３が設けられている。
【実施例５】
【００６７】
図５は本発明の第５実施例で、戸を連結するための連結構造を説明するための概略図である。図５において、第１実施例から第４実施例と異なる所は、柱体１１、１２の一方または両方に遮蔽部材が嵌挿された垂直溝５１が設けられている点、および３６０度回転することができる断面ほぼ半円形の対向面１１１、１２１を有する点にある。
【００６８】
図５に示された実施例は、必要に応じて、遮蔽部材５２が一方の柱体１１に取り付けられた例である。前記柱体１１、１２の一方には、対向面１１１、１２１の中央部において、長さ方向に垂直溝５１が成形されており、遮蔽部材５２が前記垂直溝５１に嵌挿されている。前記遮蔽部材５２は、前記垂直溝５１から僅かに突出する程度にすることで、戸を広げた状態で、柱体１１、１２の間における隙間を無くすことができる。また、第５実施例は、遮蔽部材５２と反対側の柱体１２に前記遮蔽部材５２の凸部が嵌合する凹部を設けることもできる。前記凸部と凹部は、互いに嵌合するため、光または水等がなお一層入らないようになる。
【００６９】
図６は図５の実施例を門扉に適用した場合を示す図である。図６において、コンクリートからなる門柱６１には、柱体取付部６１１が固定されている。前記柱体取付部６１１には、柱体１１が取り付けられている。すなわち、前記柱体１１は、門柱６１に固定されており、図示されていない連結部材により柱体１２と連結されている。柱体１２の門扉取付部６２１には、ボルトナット６２２により門扉６２が開閉自在に取り付けられている。
【実施例６】
【００７０】
図７（イ）および（ロ）は本発明の第６実施例で、戸と戸を連結する連結部材および前記連結部材を使用した状態を説明するための図である。図７（イ）において、断面Ｌ字状連結部材７１１は、開口７１２、７１２′が柱体１１、１２の回動中心と一致するとともに、中心軸部材７２３が回動自在に取り付けられる。前記断面Ｌ字状連結部材７１１は、前記柱体１１、１２が分離されることがなく、強固に前記両者を結合することができる。
【００７１】
図７（ロ）において、たとえば、柱体１１の上部には、逆Ｌ字状金具７２６が固定されている。前記断面Ｌ字状連結部材７１１は、柱体１１の上部に図示のごとく、吊り戸車７２２の中心軸部材７２３を介して逆Ｌ字状金具７２６に取り付けられる。戸は、前記断面Ｌ字状連結部材７１１の開口７１２、７１２′および中心軸部材７２３を介して、少なくとも一つの吊り戸車７２２により、上部レール７２１に回動自在に吊り下げられる。
【００７２】
また、前記断面Ｌ字状連結部材７１１および逆Ｌ字状金具７２６は、側部に上部レール７２１から横方向に延びるモヘア７２５を押し付ける長さに設けることにより、この間の隙間を無くすことができる。また、前記断面Ｌ字状連結部材７１１は、同様に柱体１１、１２の下部に、向きを逆にして設けることができる。なお、前記断面Ｌ字状連結部材７１１の向きは、上部または下部にかかわらず任意にすることができる。
【実施例７】
【００７３】
図８（イ）および（ロ）は本発明の第７実施例で、戸と戸を連結する連結部材、および前記連結部材を使用した状態を説明するための図である。図８（イ）および（ロ）において、実施例６と異なる所は、連結部材８１１が小判型である点と、モヘア８１２が上横框の一方の面に設けられている点である。前記連結部材８１１は、実施例６と同様に、逆Ｌ字状金具に取り付けられ、図８（ロ）に示すように、上部レール８２１との隙間を無くすことができる。
【実施例８】
【００７４】
図９は本発明の第８実施例で、柱体と横框等の取り付けを説明するための概略斜視図である。図９において、各実施例と異なる所は、柱体９１１、９１２に設けられたＬ字状切欠き部９３１、９３２と、前記Ｌ字状切欠き部９３１、９３２を覆うカバー９４１、９４２とを備えている点である。柱体９１１、９１２は、下部にも図示されていない、Ｌ字状切欠き部９３１、９３２およびカバー９４１、９４２が設けられている。前記Ｌ字状切欠き部９３１、９３２は、内部にＬ字状金具９５１を介して、ネジにより、横框９９１、９９２が取り付けられる。
【００７５】
また、前記Ｌ字状金具９５１は、上部において、連結部材９６１と中心軸部材９７１、９７２を回動自在にすることで、前記柱体９１１、９１２を開閉できるようにしている。前記中心軸部材９７１、９７２は、その上端に吊り戸車９８１、９８２を取り付け、戸を図示されていないレールに吊り下げる。前記吊り戸車９８１、９８２は、一つであっても良い。前記柱体９１１、９１２は、前記横框９９１、９９２、連結部材９６１等を取り付けた後、カバー９４１、９４２によって覆われる。
【実施例９】
【００７６】
図１０は本発明の第９実施例で、戸の一部断面形状を説明するための図である。図１０において、柱体１０１１は、上部に上框１０１２と、下部に下框１０１３とが取り付けられている。前記柱体１０１１は、上側連結部材１３１５、上側中心軸部材１３１７を介して上側ガイドローラ１３１９に、また、下側連結部材１３１６、下側中心軸部材１３１８を介して下側ガイドローラ１３２０にそれぞれ取り付けられている。
【００７７】
上部レール１０２１および下部ガイド１０２２には、レール１０３２、ガイド溝１０３１があり、前記上側ガイドローラ１３１９および下側ガイドローラ１３２０を案内する。前記柱体１０１１と、上部レール１０２１および下部ガイド１０２２の間には、隙間を無くすためのモヘア１０３３、１０３４が設けられている。
【実施例１０】
【００７８】
図１１は本発明の第１０実施例で、戸の柱体と横框を取り付ける取付コーナーブロックを説明するためのもので、下から見た図である。図１１において、柱体１１１１の下部には、柱体１１１１と下框（横）１１１２を取り付けるための取付コーナーブロック１１１４が設けられている。柱体１１１１は、ネジ１１１９を取付コーナーブロック１１１４の孔１１２０に挿入し、ネジ孔１１２１により固定する。同様に、図示されていない、もう一つの柱体と取付コーナーブロック１１１５は、図示されていない、ネジにより取り付けられる。
【００７９】
下框（横）１１１２は、ネジ１１１６を孔１１１７に挿入することによりネジ孔１１１８により固定する。同様に、下框（横）１１１３は、取付コーナーブロック１１１５に取り付けられる。前記取付コーナーブロック１１１４および取付コーナーブロック１１１５は、連結部材１１２２と二つの中心軸部材１１３１、１１３２により回動自在に連結される。図１１に示す例は、下側ガイド１１２３が一つの場合である。前記下框（横）１１１２、１１１３、取付コーナーブロック１１１４、１１１５、連結部材１１２２の下部には、モヘア１１２４、１１２５、１１２６、１１２７が設けられ、隙間を防ぐようになっている。
【実施例１１】
【００８０】
図１２は本発明の第１１実施例において、戸の上部および下部に設けた三角形の隙間を無くす角部材と戸の閉じた状態を説明する概念図である。図１３は本発明の第１１実施例において、戸の上部および下部に設けた三角形の隙間を無くす角部材と戸の開いた状態を説明する概念図である。図１２および図１３は、第８実施例を基にした図である。
【００８１】
カバー部材１２１１、１２２１には、開口部１２１５、１２２５が設けられている。戸が閉じられている場合（水平になっている状態）、前記開口部１２１５、１２２５には、角部材１２１４、１２２４が一方の面を互いに対向させ、他方の面が前記カバー部材１２１１、１２２１の表面とほぼ同一面となるように柱体１１、１２に取り付けられている（図１２参照）。
【００８２】
しかし、第１１実施例は、取付コーナーブロックあるいは柱体にも同様な角部材１２１４、１２２４を設けることができる。前記戸が開く方向に移動した場合（戸が折り畳まれた状態）、前記角部材１２１４、１２２４は、互いに対向していた一方の面が離れ、前記カバー部材１２１１、１２２１の表面と同一面となっていた他方の面が互いに接近する方向に移動する（図１３参照）。
【００８３】
図１４は本発明の第１１実施例において、戸の上部および下部に設けた三角形の隙間を無くす角部材の取り付け状態を説明する概念図である。図１５は本発明の第１１実施例において、戸の上部および下部に設けた三角形の隙間を無くす角部材が内部に押し込められた状態を説明する概念図である。角部材１２１４、１２２４は、一方に直角三角形、他方に凹部１２１９、１２２９が成形されており、前記凹部１２１９、１２２９の内部側に角部材回動軸１２１６、１２２６、外側に係合突起１２４１、１２５１が成形されている。
【００８４】
また、前記角部材回動軸１２１６、１２２６は、バネ１２１７、１２２７の中央部が掛けられている。前記バネ１２１７、１２２７は、一端がバネ押え１２１８、１２２８に係合され、他端が角部材１２１４、１２２４の凹部１２１９、１２２９に係合されている。前記角部材１２１４、１２２４は、バネ１２１７、１２２７の付勢力により、前記直角三角形が互いに対向し、係合突起１２４１、１２５１が前記開口部１２１５、１２２５に係合して、図１２および図１４のような状態になっている。
【００８５】
戸を畳む方向に移動させると、前記係合突起１２４１、１２５１は、バネ１２１７、１２２７の付勢力に抗して、カバー部材１２１１、１２２１の内部方向に移動し、前記角部材１２１４、１２２４の対向面が離れる方向に移動することで、前記角部材１２１４、１２２４がカバー部材１２１１、１２２１の内部に入る。前記角部材１２１４、１２２４は、柱体１１、１２の上部および下部にできる三角形の隙間を完全に塞ぐことができる。また、前記角部材１２１４、１２２４は、前記柱体１１、１２の上部および下部にできる三角形の隙間を防ぐものであれば、形状およびバネ等に限定されない。
【００８６】
図１６は本発明の実施例である戸を下から見た概略斜視図である。図１６において、柱体１１、１２、１１′、１２′は、下横框１６１１、１６１２、１６１３によって接続されている。また、柱体１１、１２、は、連結部材１６２１と二つの中心軸部材１６２２によって回動自在に接続されている。同様に、柱体１１′、１２′は、連結部材１６２１′と二つの中心軸部材１６２３によって回動自在に接続されている。前記中心軸部材１６２３は、下レールに沿って移動できるようにガイド兼回動軸となっている。前記柱体１１′、１２′の上部は、図１７によって説明する。
【００８７】
図１７は本発明の実施例である戸を上から見た概略斜視図である。図１７において、柱体１１′、１２′、１１″、１２″は、上横框１７１１、１７１２、１７１３が連結部材１７２１、１７２２によって接続されている。また、柱体１１′、１２′は、連結部材１７２１と、二つの中心軸部材１７２３、１７２４によって回動自在に接続されている。
【００８８】
同様に、柱体、１１″、１２″は、連結部材１７２２と二つの中心軸部材１７２５、１７２６によって回動自在に接続されている。前記中心軸部材１７２３、１７２４は、上レール（図示されていない）に沿って移動できるようにガイド兼戸車１７２７、１７２８を備えている。戸は、図１７に示すように、折り畳まれる際に、上下レールを移動するものと、レールから離れる方向に移動する部分とが一組置きに設けられる。
【００８９】
図１８は本発明における実施例の全体を説明するための図である。図１８において、戸１８２１は、上レール１８１１と下レール１８１２の間を一直線に移動できる構成になっている。戸１８２１は、図１８の右側に移動して、折り畳まれる（図１８の符号１８２２で示す）。前記戸１８２１は、折り畳まれる際に、一組置きの柱体が前記上レール１８１１と下レール１８１２から離れる。前記柱体は、前記レールから離れ易いように、切欠き部１８１３が設けられている。すなわち、前記戸１８２１は、スライド式で、戸袋に収納する場合に折り畳まれるようになっている。前記戸１８２１は、防犯上都合が良い。
【００９０】
図１９は本発明の実施例で、戸の上部における隙間を塞ぐ例を説明するための図である。図１９において、上部レール１８１１には、モヘア取付部１９１１、１９１２、１９１３が設けられており、戸の上部および側部の隙間を無くすような構造になっている。
【実施例１２】
【００９１】
図２０は本発明の第１２実施例であり、戸の吊り車およびガイド車を説明するための斜視図である。図２０において、横框１６が取り付けられている柱体１１と、横框１７を取り付けている柱体１２とは、図示されていない中心軸部材が連結部材１８に設けられた孔１８１、１８１′から回動自在にそれぞれの中心に取り付けられている。前記連結部材１８は、吊り軸２０１１が一体または別体として取り付けられている。また、前記連結部材１８の中心部に配置されている前記吊り軸２０１１は、ガイド車２０１２および吊り車２０１３が一体または別体に取り付けられている。
【実施例１３】
【００９２】
図２１は本発明の第１３実施例であり、戸の吊り車およびガイド車を説明するための斜視図である。図２１において、第１３実施例は、ガイド車２１１１、２１１２が設けられている点と、中央部に設けられた吊り車２１１３の形状が第１２実施例と異なっている。前記ガイド車２１１１、２１１２は、中心軸部材の頭部が案内部となっている。また、前記吊り車２１１３は、車が一つである点と、向きが９０度異なっている点、第１２実施例と異なっている。さらに、実施例１２および実施例１３に示されている吊り車およびガイド車の数や形状は、公知のものを任意に選択することができる。
【００９３】
以上、本発明の実施例を詳述したが、本発明は、前記実施例に限定されるものではなく、特許請求の範囲に記載された事項を逸脱することがなければ、種々の設計変更を行うことが可能である。本実施例に記載されている戸は、ガラス戸、板戸、雨戸、網戸等を折り畳めるようにしたものであり、大きさ、取り付ける場所等によって形状を任意に変更することができる。また、前記戸は、アルミニウム合金、その他の金属、金属合金、合成樹脂等からなり、公知または周知の押し出し成形によって任意の形状に加工することができる。
【００９４】
また、本発明の戸は、上吊方式、下車方式、両者の組み合わせとすることができる。また、前記戸のロック機構は、説明されていないが、公知または周知の機構を採用することができる。さらに、本発明の各実施例を任意に組み合わせて使用することができる。本発明の戸は、ビル等の回転扉に応用する場合、入口に人が挟まれると、戸が折り曲がり、折り曲がった部分に指等が挟まれない構造とすることができる。本発明の実施例は、アルミニウム形材（非断熱）で記載されているが、断熱樹脂部材を使用して、前記アルミニウム形材の外側と内側との断熱を図るようにすることができる。
【図面の簡単な説明】
【００９５】
【図１】本発明の第１実施例で、戸を連結するための連結構造を説明するための概略図である。（実施例１）
【図２】（イ）および（ロ）は本発明の第２実施例で、戸を連結するための連結構造を説明するための概略図で、（ロ）は（イ）のロ−ロ断面図である。（実施例２）
【図３】本発明の第３実施例で、戸を連結するための連結構造を説明するための概略図である。（実施例３）
【図４】（イ）は本発明の第４実施例で、戸を連結するための連結構造を説明するための概略図で、（ロ）は（イ）におけるロ−ロ断面図ある。（実施例４）
【図５】本発明の第５実施例で、戸を連結するための連結構造を説明するための概略図である。（実施例５）
【図６】図５の実施例を門扉に適用した場合を示す図である。
【図７】（イ）および（ロ）は本発明の第６実施例の連結部材を使用した状態を説明するための図である。（実施例６）
【図８】（イ）および（ロ）は本発明の第７実施例で、戸と戸を連結する連結部材、および前記連結部材を使用した状態を説明するための図である。（実施例７）
【図９】本発明の第８実施例で、柱体と横框等の取り付けを説明するための概略斜視図である。（実施例８）
【図１０】本発明の第９実施例で、戸の一部断面形状を説明するための図である。（実施例９）
【図１１】本発明の第１０実施例で、戸の柱体と横框を取り付ける取付コーナーブロックを説明するためのもので、下から見た図である。（実施例１０）
【図１２】本発明の第１１実施例において、戸の上部および下部に設けた三角形の隙間を無くす角部材と戸の閉じた状態を説明する概念図である。（実施例１１）
【図１３】本発明の第１１実施例において、戸の上部および下部に設けた三角形の隙間を無くす角部材と戸の開いた状態を説明する概念図である。（実施例１１）
【図１４】本発明の第１１実施例において、戸の上部および下部に設けた三角形の隙間を無くす角部材の取り付け状態を説明する概念図である。（実施例１１）
【図１５】本発明の第１１実施例において、戸の上部および下部に設けた三角形の隙間を無くす角部材が内部に押し込められた状態を説明する概念図である。（実施例１１）
【図１６】本発明の実施例である戸を下から見た概略斜視図である。
【図１７】本発明の実施例である戸を上から見た概略斜視図である。
【図１８】本発明における実施例の全体を説明するための図である。
【図１９】本発明の実施例で、戸の上部における隙間を塞ぐ例を説明するための図である。
【図２０】本発明の第１２実施例であり、戸の吊り車およびガイド車を説明するための斜視図である。（実施例１２）
【図２１】本発明の第１３実施例であり、戸の吊り車およびガイド車を説明するための斜視図である。（実施例１３）
【図２２】従来のヒンジ金具を説明するための図である。
【符号の説明】
【００９６】
１１、１２・・・柱体
１１１、１２１・・・対向面
１１２、１２２・・・横框取付部
１１３、１２３・・・中心軸部材取付孔
１１４、１２４・・・側部
１３・・・遮蔽アダプター
１３１・・・突起溝
１３２・・・遮蔽部材
１４、１５・・・連結部材
１４１、１４１′、１４３、１４４・・・孔
１４２、１４２′、１４５、１４５′・・・中心軸部材
１４６・・・吊り戸車
１６、１７・・・横框
２１、２２・・・中心軸部材取付部
３１、３２・・・断面ほぼ１／４円形部
３１２、３２２・・・断面ほぼ１／４切欠き部（Ｌ字状切欠き部）
３１３、３２３・・・中心軸部材取付孔
３３、３４・・・横框
３５、３５′・・・遮蔽部材
４１・・・挿入凹部
４１１、４２１・・・断面ほぼ１／４円形部
４３１、４３２・・・断面直角部
４３・・・遮蔽部材
４５、４６・・・横框
４７、４７′・・・ネジ
４７１、４７２・・・取付部
４７３・・・取付フィン
４７４・・・障子（板、パネル、ガラス、網等）
４７５・・・取付孔
４８、４８′・・・ネジ孔
５１・・・垂直溝
５２・・・遮蔽部材
５３・・・取付溝
５４・・・遮蔽部材
５５・・・網
７１１・・・断面Ｌ字状連結部材
７２１・・・上部レール
７２２・・・吊り戸車
７２３・・・中心軸部材
７２５・・・モヘア
７２６・・・逆Ｌ字状金具
８１１・・・連結部材
８２１・・・上部レール
８２２・・・吊り戸車
８５・・・網
９１１、９１２・・・柱体
９３１、９３２・・・Ｌ字状切欠き部
９４１、９４２・・・カバー
９５１、９５２・・・Ｌ字状金具
９６１・・・連結部材
９７１、９７２・・・中心軸部材
９８１、９８２・・・吊り戸車
９９１、９９２・・・横框
１２１１、１２２１・・・カバー部材
１２１２、１２２３・・・Ｌ字状金具
１２１３、１２２３・・・孔
１２１４、１２２４・・・角部材
１２１５、１２２５・・・開口部
１２１６、１２２６・・・角部材回動軸
１２１７、１２２７・・・バネ
１２１８、１２２８・・・バネ押え
１２１９、１２２９・・・凹部
１２２０、１２３０・・・開口部
１２４１、１２５１・・・係合突起
【図１】
2006328751.tif 000003
【図２】
2006328751.tif 000004
【図３】
2006328751.tif 000005
【図４】
2006328751.tif 000006
【図５】
2006328751.tif 000007
【図６】
2006328751.tif 000008
【図７】
2006328751.tif 000009
【図８】
2006328751.tif 000010
【図９】
2006328751.tif 000011
【図１０】
2006328751.tif 000012
【図１１】
2006328751.tif 000013
【図１２】
2006328751.tif 000014
【図１３】
2006328751.tif 000015
【図１４】
2006328751.tif 000016
【図１５】
2006328751.tif 000017
【図１６】
2006328751.tif 000018
【図１７】
2006328751.tif 000019
【図１８】
2006328751.tif 000020
【図１９】
2006328751.tif 000021
【図２０】
2006328751.tif 000022
【図２１】
2006328751.tif 000023
【図２２】
2006328751.tif 000024